(57)【要約】【課題】地球環境にやさしく、かつ容積の増大を抑えたタンク形中性点抵抗器を提供する。【解決手段】変電所等の中性点に接続されるタンク形中性点抵抗器の封入ガス１６に乾燥空気（又は窒素ガス又は窒素と酸素の混合ガス）を用いる。また、抵抗体１１やその上部の金属体１２及び高圧導体１３の一部を、エポキシ樹脂やシリコーンゴムなどで絶縁被覆し、これによりＳＦ６ガスを代替した乾燥空気の絶縁耐力の低下を補う。【選択図】  図１
2005236075.tif 000002
【特許請求の範囲】
【請求項１】
金属タンク内に抵抗体を収納したタンク形中性点抵抗器であって、前記金属タンク内に地球環境にやさしい封入ガスを封入すると共に、前記抵抗体の上部に配置される金属体、該金属体と接続する高圧導体を絶縁したことを特徴とするタンク形中性点抵抗器。
【請求項２】
金属タンク内に抵抗体を収納したタンク形中性点抵抗器であって、前記金属タンク内に乾燥空気、窒素ガス又は窒素と酸素の混合ガスを充填すると共に、前記抵抗体の上部に配置される金属体、該金属体と接続する高圧導体及び前記抵抗体の少なくとも一部を絶縁したことを特徴とするタンク形中性点抵抗器。
【請求項３】
請求項１または２において、前記封入ガスは乾燥空気、窒素ガスまたは窒素と酸素の混合ガスであるタンク形中性点抵抗器。
【請求項４】
請求項１または２において、前記絶縁はエポキシ又はシリコーンゴムなどで対象箇所の被覆、モールドまたはコーティングにより行われることを特徴とするタンク形中性点抵抗器。
【発明の詳細な説明】
【技術分野】
【０００１】
本発明は変圧器や発電機の中性点に接続されるタンク形中性点抵抗器に関する。
【背景技術】
【０００２】
従来から、タンク形中性点抵抗器の絶縁ガスとしてＳＦ６ガスが使用されている。ＳＦ６ガスは絶縁耐力が空気の４倍と高いので、タンク形中性点抵抗器を小型化でき、その据付面積を縮小できる。
【発明の開示】
【発明が解決しようとする課題】
【０００３】
しかしながら、近年ＳＦ６ガスは地球温暖化ガスとしてその排出規制がなされており、代替が求められている。そこで、環境にやさしい絶縁ガスの使用が必要になるが、絶縁耐力が低いと抵抗器が大型化し、据付面積が大になる問題がある。
【０００４】
本発明の目的は、上記従来技術の問題点に鑑み、地球環境にやさしい絶縁ガスを使用すると共に小型化が可能なタンク形中性点抵抗器を提供することにある。
【課題を解決するための手段】
【０００５】
上記目的を達成するため、本発明は金属タンク内に抵抗体を収納したタンク形中性点抵抗器であって、前記金属タンク内に地球環境にやさしい封入ガスを封入すると共に、前記抵抗体の上部に配置される金属体、該金属体と接続する高圧導体を絶縁したことを特徴とする。あるいは、前記抵抗体の上部に配置される金属体、該金属体と接続する高圧導体及び前記抵抗体の少なくとも一部を絶縁したことを特徴とする。
【０００６】
前記封入ガスは、乾燥空気、窒素ガス又は窒素と酸素の混合ガスである。
【０００７】
前記絶縁はエポキシ又はシリコーンゴムなどで対象箇所の被覆、モールドまたはコーティングにより行われることを特徴とする。
【発明の効果】
【０００８】
本発明によれば、タンク形中性点抵抗器の絶縁媒体として乾燥空気、窒素ガス、又は窒素と酸素の混合ガスを使用するので地球環境にやさしい。かつ抵抗体上部の金属体、金属体と接続する高圧導体及び抵抗体の少なくとも一部を被覆等により絶縁するので、ＳＦ６ガスを使用する場合に比べて容積の増加を抑える効果がある。
【発明を実施するための最良の形態】
【０００９】
以下、本発明の実施の形態を説明する。図３はタンク形中性点抵抗器を使用する変電所の概略系統を示す。変電所の変圧器１の各相と送電線２が接続し、送電線２には遮断器３が配置されている。変圧器１の中性点４は導体６及び抵抗器５を介して接地され、送電線１が地絡等により短絡した場合の短絡電流の抑制を図る。送電系統が６．６ｋｖ〜１５４ｋｖの場合、抵抗器５の抵抗値は１００〜３００Ωである。この抵抗値は変電所毎に設定され、地絡により遮断器３が送電線２を開放するまでの時間によって決まる。
【００１０】
従来、この抵抗器５には据え付け面積を小さくするものとして、セラミック抵抗体とＳＦ６ガスを封入したタンク形中性点抵抗器が多く採用されていた。本発明では、このＳＦ６ガスの代替として、地球環境にやさしい乾燥空気、窒素ガス又は窒素と酸素の混合ガスを使用する。
【００１１】
図１は本発明の一実施例によるタンク形中性点抵抗器の構成図である。タンク内構造を示し、金属製のタンク１０内にはセラミック製の抵抗体１１が設けられ、４本のスタックが組み合わされている状態である。スタックの本数は任意である。抵抗体１１の上部には金属体１２と、金属体１２と接続する高圧導体１３と、抵抗体１１の下部には接地線１４が設けられ、基台１８に載置されている。さらに、タンク１０の上部にはブッシング１５が設けられ、高圧導体１３は絶縁を確保しながら中性点４へと導かれる。
【００１２】
タンク１０内には封入ガス１６として乾燥空気が５気圧程度に封入され、タンク壁には乾燥空気１６の吸湿を防止するための吸着剤１７も設けられている。乾燥空気の封入圧は１０気圧から大気圧までで、封入圧が高いほどガス密度が大きいので絶縁耐力が増加し、低いほど絶縁耐力は減少する。
【００１３】
図２は抵抗体のスタックの構成図である。（ａ）は抵抗体の素子形状を示し、セラミック製の素子２０はドーナツ形状である。（ｂ）は抵抗体スタックの断面図で、複数の素子２０が積み重ねられ、その上部の金属体１２とともにＦＲＰ棒２１とナット２２で固定されている。金属体１２の内部には空洞２３が設けられ、空洞上部のネジにより高圧導体１３をネジ止めしている。
【００１４】
さらに、高圧導体１３の一部と、金属体１２と抵抗体スタックの外表面にはそれぞれ絶縁のための被覆２４が施されている。被覆２４は乾燥空気１６による絶縁耐力の不足を補うもので、エポキシ樹脂、シリコーンゴムあるいはＦＢＣなどで、厚さ数ｍｍ（２〜５ｍｍ）の被覆が設けられている。高圧導体１３の被覆はブッシング１５内に少し入ったところまで、抵抗体スタックの被覆は全部またはその上部のみ、あるいは省略される場合もある。被覆の方法は金型あるいはどぶ漬け等の周知の方法による。
【００１５】
本実施例のタンク形中性点抵抗器によれば、金属タンクとセラミック抵抗体等の間は乾燥空気と被覆により二重に絶縁されているので、ＳＦ６ガスの場合と同等の絶縁耐力が確保できる。これにより、地球環境にやさしい乾燥空気を使用しながら、タンク形中性点抵抗器の容積の増大を抑え、ＳＦ６の場合と同等の据付面積を維持できる。
【００１６】
上記実施例では絶縁媒体として乾燥空気と被覆を用いたが、本発明はこれに限られるものではない。絶縁ガスとして窒素または窒素と酸素の混合ガスの使用も可能である。また、被覆に代えてモールドあるいはコーティングによる絶縁も可能である。モールドは金属体や抵抗体等にエポキシ樹脂やシリコーンゴムなどを、厚さ数ｃｍでモールド被覆するもので、封入ガス圧の低い場合などに好適である。また、コーティングは厚さ数μｍで塗布被覆するもので、封入ガス圧の高い場合や局部絶縁に好適である。
【図面の簡単な説明】
【００１７】
【図１】本発明に係るタンク形中性点抵抗器の一例による構成図。
【図２】抵抗体スタックの構成図。
【図３】タンク形中性点抵抗器を使用する変電所の概略系統図。
【符号の説明】
【００１８】
１…変圧器、２…送電線、３…遮断器、４…中性点、５…抵抗器、６…導体、１０…タンク、１１…抵抗体、１２…金属体、１３…高圧導体、１４…接地線、１５…ブッシング、１６…乾燥空気（封入ガス）、１７…吸着剤、２０…素子、２１…ＦＲＰ棒、２２…ナット、２３…空洞、２４…被覆。
【図１】
2005236075.tif 000003
【図２】
2005236075.tif 000004
【図３】
2005236075.tif 000005